(57)【特許請求の範囲】
【請求項１】
必要な高さを有し、平行で鉛直な壁面が両側に存在する地下室入口の階段の最上段に設けた空気袋設置窪の反地下室側の端部に設けたアンカー金物に、空気を排出したときには、平らな小判形に近い形状に縮小し、空気を圧入すれば円柱に近い形状に膨張する３辺が閉じ１辺が開いた空気袋の開いた辺を、ボルトと上面が階段の最上段の床面に一致する押え板とで押え付けて、空気袋の開いた辺を密閉しつつ、空気袋を空気袋設置窪に固定する。
この押え板の地下室側の縁に突起した軸受に、Ｌ字形に折り曲げた鋼板の非折曲端の軸受を軸によって回転自在に結合して階段の最上段の起伏自在の踏板とし、この踏板の両側端上面には、踏板面に対し直角であり、起立したときには押え板の上面に接触して踏板を停止させるストッパとしても作用する側面の保護鋼板を取付けする。
上記空気袋設置窪の床面はアンカー金物に近い位置においてはアンカー金物の上面とほぼ同一の高さにあり、膨張した空気袋を支持するけれど、それより地下室側では、平らに縮小した空気袋を収容するために必要なだけ低くなり、最も深い部分からは地下室側に排水孔を設ける。
また、空気袋設置窪の両側の壁面は、アンカー金物に近い位置においては、階段の両側に存在する平行で鉛直な壁面の延長であり、膨張した空気袋と密着するけれど、それより地下室側では平らに縮小した空気袋の小判形の丸く突き出た部分を収容するため凹んでいる。この凹みは空気袋設置窪の上方に隣接する階段の両側に存在する壁面にも及んでいて、空気袋が縮小するときに突き出してくる小判形の丸く突き出た部分と摩擦を生じないようにする。
このように構成した空気袋設置窪の空気袋に、管理室に設けた空気タンクを有する空気操作装置から空気管を接続し、空気袋の内部に空気タンクに貯えた圧縮空気を送入すれば、空気袋が起伏自在のＬ字形に折曲げた鋼板の踏板を起立させつつ膨張して円柱形状の堰となり、
逆に空気袋の内部の圧力を有する空気を排出すれば、空気袋が縮小するので鋼板の踏板が自重によって倒伏して階段が復旧し通行が可能となるようにした
ことを特徴とする浸水防止装置。
【請求項２】
請求項１の浸水防止装置において、Ｌ字形に折曲げた鋼板の折曲げ部先端の一部に凹部を設け、上から２段目の踏面との間に手やバール等を差し入れる隙間を作り、非常用手掛け部としたことを特徴とする浸水防止装置。
【発明の詳細な説明】
【０００１】
【発明の属する技術分野】
この発明は、地下街や地下駐車場など、地下を利用する空間に浸水する災害を防止するために地下室の入口に設置する浸水防止装置に関するものである。
【０００２】
【従来の技術】
従来、地下街や地下駐車場などの浸水防止のためには、災害の発生が予想されたときに、地下室の入口に砂袋や角材を積上げる方法が採用されてきた。
【０００３】
【発明が解決しようとする課題】
ところで、最近の地下室の浸水災害の発生状況は、集中豪雨による短時間での水位上昇に加え、小人数の管理者で多数の出入口の浸水防止作業を行なうために手遅れとなり地下室に浸水してしまう事例が多いのである。
【０００４】
この発明は、このように多数箇所での浸水防止作業を小人数で短時間に実施することを要求される実情に対応が可能な浸水防止装置を安価に提供しようとするものである。
【０００５】
【課題を解決するための手段】
この発明では、地下室の入口に設ける浸水防止装置として、空気を圧入すれば、必要な長さと直径を有する円柱に近い形状に膨張する空気袋を採用した。
この空気袋を設置するために階段の最上段の踏面を窪ませた空気袋設置窪の地下室の反対側の端部のアンカー金物にボルトと押え板とで空気袋を固定すると同時に、押え板の地下室側の縁に突起した軸受に、Ｌ字形に折り曲げた鋼板を回転自在に取り付けて、階段の最上段とするとともに空気袋を保護するようにする。
その上で、空気操作装置から空気袋に空気を圧入すれば、空気袋が円柱形状に膨張して階段の最上段からの浸水を防止する。このときＬ字形に折り曲げた鋼板は、空気袋により押し上げられて起立する。
逆に空気袋から空気を排出すれば、空気袋が縮小して空気袋設置窪に収容され押し上げられていた鋼板が自重によって倒伏して階段の最上段の姿勢に復旧する。この空気袋の膨張と縮小に際しては、空気袋の幅方向の寸法が変化するので、空気袋設置窪付近の側壁面を凹ませて、側壁と空気袋との密着を図りながらも、空気袋と側壁の間の摩擦を回避する。
【０００６】
また、平常時は階段の最上段となる起伏自在のＬ字形に折り曲げた鋼板は、起伏運動に際し、側壁との間に適当な隙間を設けて摩擦力が発生しないようにして、起伏運動の確実性を高めるのである。
【０００７】
【発明の実施の形態】
以下、この発明の浸水防止装置の実施の形態を、図面に基いて詳細に説明する。
【０００８】
図１、図２、図３、図４、図５ならびに図６はこの発明の浸水防止装置の１実施例を示すものであり、図１は浸水防止装置の背面図（視点が地下室側）、図２は浸水防止装置の断面図でともに空気袋が膨張した状態を示し、図３は浸水防止装置の背面図、図４は浸水防止装置の断面図でともに空気袋が縮小した状態を示し、図５は踏板と押え板の説明図、図６は空気袋の説明図である。
【０００９】
図１、図２、図３および図４において、両側に必要な高さで平行かつ鉛直な壁面１が存在する地下室入口の階段の最上段に設けた空気袋設置窪の反地下室側の端部に設けたアンカー金物２に、空気を排出したときには、平らな小判形に近い形状に縮小し、空気を圧入すれば円柱に近い形状に膨張する３辺が閉じ１辺が開いた空気袋３の開いた辺をボルト４と押え板５とで押え付けて空気袋３の開いた辺を密閉しつつアンカー金物２に固定する。
【００１０】
この押え板５の上面は階段の最上段の床面６と同じ高さにあり、またその地下室側の縁に突起した軸受７にはL字形に折り曲げた鋼板８の非折曲げ端の軸受９と軸１０によって回転自在に取り付ける。
このようにしてＬ字形に折り曲げた鋼板８が階段の最上段の起伏自在の踏板として機能する。この鋼板８の両側端上面には、踏板面に直角で、壁面１に沿って側面の保護鋼板１１を取付けする。
この保護鋼板１１の反地下室側の縁１２は鋼板８が上限まで起立したときには押え板５の上面１３に当ってストッパとして機能する。
【００１１】
次に、空気袋設置窪のアンカー金物２に近い部分の床面１４はアンカー金物２の上面とほぼ同一の高さにあり、膨張した空気袋３を支持するけれど、それより地下室側では、平らに縮小した空気袋３を収容するために必要なだけ低くなり、最も深い部分からは地下室側に排水孔１５を設ける。
【００１２】
また、空気袋設置窪の両側の壁面は、アンカー金物２に近い位置においては、階段の両側に存在する平行で鉛直な壁面１の延長であり、膨張した空気袋３の円柱形の木口部分２９と密着する。しかしそれより地下室側では平らに縮小した空気袋３の小判形の丸く突き出た部分１６を収容するために凹んでいる。この凹み１７は上方に隣接する階段の両側に存在する壁面の一部の壁面１８にも及んでいて、空気袋３が縮小するときに突き出してくる小判形の丸く突き出た部分１６と摩擦が生じないようにする。
【００１３】
以上のように構成した空気袋設置窪の空気袋３の床面１４側に取り付けた口金１９に、管理室に設けた空気タンク２０を有する空気操作装置から空気管２１を接続する。すなわち、図１、図２、図３、図４に示すように、空気操作装置は、排気用開閉弁２２、排気用流量調整弁２３、排気放出部２４、給気用開閉弁２５、給気用流量調整弁２６、空気タンク２０、逆止弁２７、空気圧縮機２８により構成される。そして、空気タンク２０の内部には常に空気圧縮機２８で作った圧縮空気を逆止弁２７を通して送り込んで貯える。
【００１４】
いま、給気用開閉弁２５を開いて給気用流量調整弁２６、空気管２１を通して口金１９から空気袋３の内部に空気タンク２０に貯えた圧縮空気を送り込むと、空気袋３が膨張しＬ字形に折曲げた鋼板８を軸１０の回りに回転させつつ押し上げる。やがて、保護鋼板１１の反地下室側の縁１２が押え板５の上面１３に接触すると鋼板８は停止する。この状態の浸水防止装置を地下室側から見たのが図１であり、その断面図が図２である。
【００１５】
空気袋３は空気袋設置窪の床面１４と鋼板８に密着しつつ膨張しており、その木口部分２９は壁面１に密着している。したがって、水位３０以下の洪水であれば、このままで浸水を防止できる。万一、水位３０を越える洪水となった場合には、壁面１と保護鋼板１１の隙間をボロ布等で漏水止めすることにより、水位３１までの洪水に対し浸水を防止できる。
【００１６】
洪水の危険が去ったときには、排気用開閉弁２２を開いて空気袋３を縮小し、Ｌ字形に折曲げた鋼板の踏板を倒伏させる。
排気用開閉弁２２を開くと、空気袋３の内部の圧力を有する空気は、口金１９、空気管２１、排気用開閉弁２２、排気用流量調整弁２３を経て排気放出部２４から大気中へ放出される。
【００１７】
その結果、空気袋３が空気袋設置窪において完全に縮小し、鋼板８の折曲げ部の先端３２が階段の上から２段目の踏面３３に設けた台３４に支持されて階段の最上段の姿勢となり、階段の通行が可能となる。
【００１８】
このとき、鋼板８の折曲げ部の先端３２には、非常用手掛け部３５が設けてあり、万一、空気袋３が膨張しない場合にも鋼板８を軸１０の回りに回転させ、起立させることが可能である。
【００１９】
図５に押え板５とＬ字形に折曲げた鋼板８の説明図を示す。
押え板５にはボルト４に合わせた座掘付の孔３６があり、その地下室側の縁に突出した軸受７には鋼板８の非折曲げ端の軸受９が軸１０によって回転自由に結合されている。
【００２０】
また、鋼板８の両側端上面には鋼板８の面に直角に取り付けた保護鋼板１１が取り付けられ、階段を通行する人の足が壁面１の下部で踏面より上側に露出する壁面１８の凹みに入らないよう保護する。
【００２１】
図６に空気袋３の説明図を示す。
空気袋３は、内部の空気を排出したとき平らな小判形に近い形状になる。そして、３辺が閉じ、１辺が開いたゴム引布製の十分な強度を有する袋であり、開いた辺の長さは、階段両側に存在する壁面１で定められる階段の幅に等しい長さである。そして開いた辺をアンカー金物２の上面にボルト４と押え板５で押え付けて密閉した後に空気を圧入したときの形状は円柱に近い形状となる。この円柱に近い形状の木口部分２９に相当するゴム引布が空気袋３が平らに縮小したときの小判形の丸く突き出た部分１６に相当するのである。
この空気袋３の開いた辺に沿う位置には、ボルト４が貫通する孔３７が１列に設けられている。
【００２２】
【発明の効果】
この発明の浸水防止装置では、階段の最上段として設置したＬ字形に折曲げた起伏自在の鋼板製の踏板に保護された空気袋が階段の幅いっぱいに必要な太さの円柱状として膨張することによって浸水を防止するから非常に簡単な構造であり、非常に安い経費で目的を達することができる。
【００２３】
さらに、鋼板製の踏板と壁面の間の漏水止めは要求されないから鋼板製の踏板が起伏運動に際しては壁面とは接触せず、摩擦力が発生しないから操作の確実性が向上した。
【００２４】
また、空気操作装置は空気タンクを保有させ、空気袋の膨張を空気タンクに貯えた圧縮空気によって実行するから停電時にも操作可能であり、確実性、安全性が向上した。
【００２５】
さらに、鋼板製の踏板に非常用手掛け部を設け、最悪の場合には群集の力を借りてでも浸水防止を完成させるべく配慮した完成度の高い防災設備である。
【図面の簡単な説明】
【図１】浸水防止装置の背面図（視点が地下室側）である。
【図２】浸水防止装置の断面図でともに空気袋が膨張した状態を示している。
【図３】浸水防止装置の背面図である。
【図４】浸水防止装置の断面図でともに空気袋が縮小した状態を示している。
【図５】踏板と押え板の説明図である。
【図６】空気袋の説明図である。
【符号の説明】
１ 壁面
２ アンカー金物
３ 空気袋
４ ボルト
５ 押え板
６ 床面
７ 軸受
８ 鋼板
９ 軸受
１０ 軸
１１ 保護鋼板
１２ 縁
１３ 上面
１４ 床面
１５ 排水孔
１６ 部分
１７ 凹み
１８ 壁面
１９ 口金
２０ 空気タンク
２１ 空気管
２２ 排気用開閉弁
２３ 排気用流量調整弁
２４ 排気放出部
２５ 給気用開閉弁
２６ 給気用流量調整弁
２７ 逆止弁
２８ 空気圧縮機
２９ 木口部分
３０ 水位
３１ 水位
３２ 先端
３３ 踏面
３４ 台
３５ 非常用手掛け部
３６ 孔
３７ 孔
【図１】
0003760339.tif 000002
【図２】
0003760339.tif 000003
【図３】
0003760339.tif 000004
【図４】
0003760339.tif 000005
【図５】
0003760339.tif 000006
【図６】
0003760339.tif 000007